(57)【要約】　　　（修正有）【課題】育苗ポットへ培土を充填し苗木を植え付ける作業を簡単にでき、緑化工事を安価に効率よく行える育苗ポットに関する。【解決手段】下端部が尖った錐体形状の筒体内に苗木及び培土を充填して地面へ埋め込み前記苗木の植え付けを行う育苗ポット１において、前記育苗ポットは垂直方向に二分され、且つ２個の分割部材１ａ，１ｂは一側の縦縁部の上下方向に形成された薄肉ヒンジ４により開閉可能に繋ぎ合わされていることを特徴とする。【選択図】図２
0003097999.tif 000002
【実用新案登録請求の範囲】
【請求項１】
下端部が尖った錐体形状の筒体内に苗木及び培土を充填して地面へ埋め込み前記苗木の植え付けを行う育苗ポットにおいて、
前記育苗ポットは垂直方向に二分され、且つ２個の分割部材は一側の縦縁部の上下方向に形成された薄肉ヒンジにより開閉可能に繋ぎ合わされていることを特徴とする、育苗ポット。
【請求項２】
前記分割部材には、開口上部を閉じる蓋部と、そのほぼ中心部に苗木の茎部分を導き出す孔部とが二分した形状に設けられていることを特徴とする、請求項１に記載した育苗ポット。
【請求項３】
前記分割部材の筒壁部には、培土が漏れない形状、大きさで複数の通孔が形成され、その他の部位に、当該育苗ポットを地中へ埋込んだ際に抜け止め機能を働く形状の抜止め部が外方へ突き出されていることを特徴とする、請求項１又は２に記載した育苗ポット。
【請求項４】
２個の分割部材の組み合わせ状態を保持する結合手段が開放側縁部に設けられていることを特徴とする、請求項１〜３のいずれか一に記載した育苗ポット。
【請求項５】
育苗ポットの組み合わせ状態を保持する手段として、外壁部を締め付ける環状の締付部材が設けられていることを特徴とする、請求項１〜４のいずれか一に記載した育苗ポット。
【請求項６】
締付部材の上縁外周の全長にわたり相当幅のフランジが設けられていることを特徴とする、請求項１〜５のいずれか一に記載した育苗ポット。
【考案の詳細な説明】
【０００１】
【考案の属する技術分野】
この考案は、公園緑地や道路の路肩、造成地の法面等に苗木を植え付ける緑化工事に使用する育苗ポットの技術分野に属し、更に云えば、育苗ポットへ苗木を植え付ける作業が簡単で緑化工事を安価に効率よく行える育苗ポットに関する。
【０００２】
【従来の技術】
従来、緑化工事において、草木の種子や苗木を地面に植え付ける様々な育苗ポットが開発され、実用に供されている。
【０００３】
例えば、特許文献１には、円筒体の胴部と円錐形状に尖った底部とを備え、前記胴部外周に螺旋状のねじれ凸部又は凹部と貫通穴とを設けた、苗木等の植え付けに用いられる育苗ポット（容器）が開示されている。
【０００４】
特許文献２は、本出願人所有の登録意匠公報であって、緑化工事の現場に敷設した防草シートの上から直接地面へ打ち込んで前記防草シートを固定する機能を兼ねた育苗ポットが開示されている。この育苗ポットは、下端部が尖った四角錐体形状の筒体から成り、上端外周部の四辺にフランジを有すると共に、筒壁部にスリット状の通孔と、地中に当該育苗ポットを打ち込んだ際に抜け止め機能を働く掛け止め部が設けられている。
【０００５】
特許文献３も、本出願人所有の特許公報であり、緑化工事の現場の地面に敷設した防草シートの上から地面へ打ち込んで前記防草シートを固定する機能を兼ねた育苗ポットが開示されている。この育苗ポットは、円錐形又は角錐形、若しくは柱状体を斜めに切断した形状から成り、壁部に植物の根張りのために複数の通孔が設けられている。
【０００６】
上述した特許文献１〜３に開示された育苗ポットはそれぞれ有用であるが、いずれも上端の開口から苗木及び培土を充填する構成である。しかし、育苗ポットの多くは開口部の直径が約５ｃｍ、高さ１４ｃｍ程度に小さいものが一般的である。小さく狭い上端開口部から筒体内へ培土を充填し、且つ苗木を程よく中央部へ植え込む作業は非常に面倒で作業性が悪いという問題があった。
【０００７】
前記問題点を解決するために、本出願人の出願に係る特願２００３−４９０８４の明細書及び図面には、図８に示すように、垂直方向に二分した２個の分割部材８ａ、８ｂの組合せからから成り、開口上部を閉じる蓋部分８０が一体形成され、その中央部に苗木２の茎部分を導き出す孔部８１が設けられている。また、分割部材８ａ、８ｂの外周縁の全長に、一定以上の幅のフランジ８２が形成され、接合手段として、掛止め部材８３、リング部材８４を設けた育苗ポットが開示されている。２個の分割部材８ａ、８ｂへ別々に苗木２及び培土３を充填した後、当該分割部材８ａ、８ｂを組み合わせることにより、簡易に能率の良い作業を行うことができる。
【０００８】
【特許文献１】
特許第２７２６２５３号公報
【特許文献２】
意匠登録第１０７２２３９号公報
【特許文献３】
特開平１１−２２９３８５号公報
【０００９】
【考案が解決しようとする課題】
しかし、上記特許出願に係る発明にも問題点がある。二分した２個の分割部材へ別々に苗木および培土を充填した後、対応する２個の分割部材をぴったり組み合わせる作業をするが、その際に、組合せの相手を探すという作業が必要となる。双方の分割部材に充填された培土の量が丁度良い分量であることを確認して、両部材をぴったり合致させるが、その際に、培土がこぼれたり苗木の植込位置がずれたりすることも少なくなく、作業が面倒である。一つの緑化工事では、苗木等を充填した育苗ポットを数百〜数千個を使用するのが一般的である。よって１回１回前記のような要領で分割部材同士を組み合わせる作業は非常に面倒である。
【００１０】
本考案の目的は、育苗ポットを垂直方向に二分した分割部材を予め薄肉ヒンジで開閉可能に繋ぎ合わせた構成とし、各分割部材へ培土を充填し苗木を植え付ける作業を簡単にし、もっては緑化工事の作業効率を高めた育苗ポットを提供することにある。
【００１１】
【課題を解決するために手段】
上記した従来の技術の課題を解決する手段として、請求項１に記載した考案に係る育苗ポットは、
下端部が尖った錐体形状の筒体内に苗木及び培土を充填して地面へ埋め込み前記苗木の植え付けを行う育苗ポットにおいて、
前記育苗ポットは垂直方向に二分され、２個の分割部材は一側の縦縁部の上下方向に形成された薄肉ヒンジにより開閉可能に繋ぎ合わされていること、
を特徴とする。
【００１２】
請求項２記載の考案は、請求項１に記載した育苗ポットにおいて、
前記分割部材には、開口上部を閉じる蓋部と、そのほぼ中心部に苗木の茎部分を導き出す孔部とが二分した形状に設けられていることを特徴とする。
【００１３】
請求項３記載の考案は、請求項１又は２に記載した育苗ポットにおいて、
前記分割部材の筒壁部には、培土が漏れない形状、大きさで複数の通孔が形成され、その他の部位に、当該育苗ポットを地中へ埋込んだ際に抜け止め機能を働く形状の抜止め部が外方へ突き出されていることを特徴とする。
【００１４】
請求項４記載の考案は、請求項１〜３のいずれか一に記載した育苗ポットにおいて、
２個の分割部材の組み合わせ状態を保持する結合手段が開放側縁部に設けられていることを特徴とする。
【００１５】
請求項５記載の考案は、請求項１〜４のいずれか一に記載した育苗ポットにおいて、
育苗ポットの組み合わせ状態を保持する手段として、外壁部を締め付ける環状の締付部材が設けられていることを特徴とする。
【００１６】
請求項６記載の考案は、請求項１〜５のいずれか一に記載した育苗ポットにおいて、
締付部材の上縁外周の全長にわたり相当幅のフランジが設けられていることを特徴とする。
【００１７】
【考案の実施形態及び実施例】
以下、図面に基づいて請求項１〜６に記載した考案に係る育苗ポットの実施形態を説明する。
【００１８】
本考案の育苗ポット１は、図１に完成状態を、図２に使用時の状態を示したように、下端部が尖った円錐型形状の筒体を垂直方向に二分したに等しい同形、同大の２個の分割部材１ａ、１ｂの組み合わせで構成されており、筒内に苗木２及び培土３を充填して地面へ埋込み、前記苗木２の植え付けを行うものである。図示した分割部材１ａ、１ｂは、好ましい実施例として略二等割した形態を示している。いずれか一方が大きく、他方が小さい大小の関係に分割しても良い。
【００１９】
この育苗ポット１の形状は、その下部が地面に打ち込むのに適した錐形状であれば良く、図１に示したような円錐型形状に限らない。例えば四角錐体や多角錐型形状或いは、柱状体を斜めに切断したような形状でも良い。前記育苗ポット１の材質は通常のプラスチックのほか、生分解性プラスチック又は崩壊性プラスチックを使用することも好ましい。前記生分解性プラスチック又は崩壊性プラスチックを使用した育苗ポットは、地面に打ち込まれると、半年〜数年で分解され土化するので、植え付けた苗木２が成長と共に根を張り茎が太くなってもその成長を当該育苗ポット１が妨害する虞はない。また、発泡した又は発泡しない通常の樹脂、或いはセメント、粘土、紙や樹皮等動植物からの腐食材料等で同様に育苗ポット１を製造することもできる。
【００２０】
分割部材１ａ、１ｂの、高さは通例約１５ｃｍ程度である。勿論植え付ける苗木２や種の大きさによって適切に設計される。
【００２１】
育苗ポット１は、図１、２に示すように、垂直方向に二分されていると共に、２個の分割部材１ａ、１ｂは、一側の縦縁部の上下方向に長く形成した薄肉ヒンジ４…により開閉可能に繋ぎ合わされている。つまり、２個の分割部材１ａ、１ｂは、製造時から使用時まで薄肉ヒンジ４…により対の関係で繋がっている。そして、培土３及び苗木２を充填した分割部材１ａと１ｂはそのままぴったりと閉じて円錐体に組み合わせられる。したがって、分割部材１ａ、１ｂへ苗木２及び培土３を充填した後、組合せの相手を探すことは必要なく、前記分割部材１ａ、１ｂを閉じるだけの簡単な方法でぴったり組み合わせることができ、培土のこぼれや苗木の植込の位置ずれを防止できる。組合せの相手が当初より決まっているから、培土の充填量も加減して行える。斯くして、緑化工事の作業効率を高めることが可能となる。
【００２２】
各分割部材１ａ、１ｂには、上端より少し下った位置に開口部を閉じる分割形状の蓋部分５が一体的に形成されている。蓋部分５は培土３に草が発生することを防ぐためのものである。蓋部分５を上端部より少し低く設けた理由は、育苗ポット１の上端部に窪みを設け、この窪みに雨水を溜めて苗木２の根本の培土３へ水を供給するためである。勿論、蓋部分５を上端部レベルに設けてもさして支障はない。
【００２３】
上述した蓋部分５のほぼ中央部分には、育苗ポット１に植え付ける苗木２の茎を導き出すための孔部６が、やはり二分した切り欠き形状（半円形に設けられている）に設けられている（請求項２記載の考案）。
【００２４】
前記孔部６の寸法又は直径は植え付ける苗木３の茎の太さを許容して、茎と孔部６との間にできるだけ隙間が生じないように設計される。つまり、隙間から太陽光が入って雑草が発生するのを防いで苗木２の成長を促進し、雑草の除草作業を軽減するためである。
【００２５】
また、分割部材１ａ、１ｂの筒壁部には、充填した培土３が漏れない形状、大きさの複数の通孔７…が形成されている（図１）。通孔７は、育苗ポット１内の培土３の空気の通気、水分の排水性を保つと共に、苗木２の成長に伴う根の伸び出しを許容する。
【００２６】
よって、図１等に示したようなスリット形状に限定されず、例えば円形又は楕円形状の通孔でも好適に実施できる。
【００２７】
分割部材１ａ、１ｂの筒壁部の他の部位には、更に育苗ポット１を地中へ埋め込んだ際に抜け止め機能を働く形状、例えば　形状の抜止め８が複数外方へ突き出されている（図１）（請求項３記載の考案）。
【００２８】
前記抜止め８の一部は、前記分割部材１ａの一側の開放外縁部に当該開放外縁部と平行方向に複数設けられている。この分割面に設けられた抜止め８は当該分割面と平行方向に幅広に形成され、２個の分割部材１ａ、１ｂを組み合わせる際に当接面を兼ねる構成とされる。抜け止め８は上下方向に３個ずつ設けられている。
【００２９】
前記開放外縁部に設けた前記抜止め８のうち、下方側２個ずつの当接面には、当該分割部材１ａ、１ｂを組み合わせ状態を保持する結合手段として掛止め部９が設けられている（請求項４記載の考案）。
【００３０】
図３に示すように、前記掛止め部９は、一方の分割部材１ａに鉤形状の雄型突起９ａを、他方の分割部材１ｂには前記雄型突起９ａを受け入れる雌型突起９ｂとで構成されている。
【００３１】
図４に示すように、雄型突起９ａ、雌型突起９ｂが、２個の分割部材１ａ、１ｂが向かい合わせに組み合わされた際に、しっかりと嵌り合って当該２個の分割部材１ａ、１ｂの結合状態を保持する。
【００３２】
また、図２に示すように、育苗ポット１には、２個の分割部材１ａ、１ｂの組み合わせ状態を保持する手段として、外壁部を締め付ける環状の締付部材１０を使用する（請求項５記載の考案）。締付部材１０の形態は図示した筒形状からなる環状形態のみならず、ゴムバンドやプラスチックバンド等の締め付け力を発揮する形態であれば良く、取付場所も筒体の上下何れの場所でも良い。
【００３３】
前記締付部材１０の上縁外周には、その全長にわたって一定幅（例えば、１０ｍｍ位）のフランジ１１が連続して設けられている（請求項６記載の考案）。
【００３４】
前記フランジ１１は、緑化工事の際にシート材１００を押さえると共に、破断したシート材１００から地面が露出することを防ぐ効果を発揮する。図示例の場合、前記締付部材１０は育苗ポット１の下方へ嵌め込んだ場合を示している。
【００３５】
図５には、上記構成の育苗ポット１を使用した緑化工事の一実施例を示している。
上記構成の育苗ポット１は、図２に示したように、培土３を密実に充填した苗木２を植え付けた２個の分割部材１ａ、１ｂを閉じて相向かいに組合せ、掛止め部９により結合させ、更に必要に応じて締付部材１０を嵌めて拘束させ、図１のように完成する。
【００３６】
緑化工事においては、地面に敷かれた防草シート等のシート材１００の上から、例えば育苗ポット１と略同形、同大の孔あけ機を用いて防草シート１００及び地面に育苗ポット１とほぼ同形、同大の穴をあけ、その中へ埋込まれる。前記育苗ポット１は、例えば３０ｃｍ間隔ぐらいで地面へ複数埋込み、苗木２を植える目的と同時に前記シート材１００を地面に固定する目的を達成する。地面が柔らかい場合には、シート材１００の上から育苗ポット１をハンマー等を用いて直接埋め込むことにより実施される。
【００３７】
以上に実施形態に基づいて説明したが、本考案は、図示例の実施形態の限りではなく、その技術的思想を逸脱しない範囲において、当業者が通常に行う設計の変更、応用のバリエーションを含むことを念のため言及する。例えば、フランジを設けずに実施することも可能であり、更に結合手段として結合機能と締付け力を兼ね備えた締付留具を用いることも可能である。
【００３８】
図６、図７は、四角錐型形状において実施される一実施例を示した図である。四角錐型形状の育苗ポット１’は、図７に示すように対角線方向に二分した分割部材１ａ’、１ｂ’の一側の縦縁部に薄肉ヒンジ４’を設け、必要に応じて締付部材１０’およびフランジ１１’を嵌め込むことによって実施される。
【００３９】
【考案が奏する効果】
請求項１〜６に記載した考案に係る育苗ポットは、育苗ポットを垂直方向に二分した分割部材を予め薄肉ヒンジで開閉可能に繋ぎ合わせた構成とし、各分割部材へ培土を充填し苗木を植え付ける作業を簡単にし、もっては緑化工事の作業効率を高めた。
【図面の簡単な説明】
【図１】本考案に係る育苗ポットの使用状態の概略を示した斜視図である。
【図２】本考案に係る育苗ポットの使用状態における構造の概略を示した分解斜視図である。
【図３】図２のＢ−Ｂ線矢視の断面図である。
【図４】図１のＡ−Ａ線矢視の端面図である。
【図５】本考案に係る育苗ポットをシート材の上から地面へ埋め込んだ使用状態を示した図である。
【図６】本考案の他の実施形態の概略を示した斜視図である。
【図７】本考案の他の実施形態の概略を示した分解斜視図である。
【図８】従来の育苗ポットの使用状態における構造の概略を示した分解斜視図である。
【符号の説明】
１　　　　　育苗ポット
１ａ、１ｂ　分割部材
２　　　　　苗木
３　　　　　培土
４　　　　　薄肉ヒンジ
７　　　　　通孔
８　　　　　抜止め部
１０　　　　締付部材
１１　　　　フランジ
【図１】
0003097999.tif 000003
【図２】
0003097999.tif 000004
【図３】
0003097999.tif 000005
【図４】
0003097999.tif 000006
【図５】
0003097999.tif 000007
【図６】
0003097999.tif 000008
【図７】
0003097999.tif 000009
【図８】
0003097999.tif 000010